(57)【要約】  本発明の実施例は、伝送制御の方法、装置、デバイスおよび記憶媒体を開示し、当該方法は、第１のノードデバイスは、データ複製伝送モードのオン/オフ状態を制御することと、第１のノードデバイスは第２のノードデバイスに通知メッセージを送信することであって、前記通知メッセージは、データ複製伝送モードがオン状態であるかまたはデータ複製伝送モードがオフ状態であることを指示するために使用されることと、を含む。したがって、２つのノードデバイスがそれぞれＲＲＣメッセージおよびＭＡＣメッセージを介してデータ複製伝送を制御するという条件下で、２つのノードデバイスのベアラのデータ複製伝送を制御する方法が調整され、それにより制御競合の発生が回避される。
2020533824.tif 000002
【特許請求の範囲】
【請求項１】
伝送制御の方法であって、
前記方法は、無線リソース制御（ＲＲＣ）メッセージによってデータ複製伝送を制御する第１のノードデバイスに適用され、
前記第１のノードデバイスが、データ複製伝送モードのオン/オフ状態を制御することと、
前記第１のノードデバイスが、第２のノードデバイスに通知メッセージを送信することであって、前記通知メッセージは、データ複製伝送モードがオン状態であるかまたはデータ複製伝送モードがオフ状態であることを指示するために使用されることと、を含む、前記伝送制御の方法。
【請求項２】
前記第１のノードデバイスが、データ複製伝送モードのオン/オフ状態を制御することは、
前記第１のノードデバイスが、ＲＲＣメッセージを介してデータ複製伝送モードをオンにすること、
または、前記第１のノードデバイスが、ＲＲＣメッセージを介してデータ複製伝送モードをオフにすることを含む、
請求項１に記載の方法。
【請求項３】
前記第１のノードデバイスが、第２のノードデバイスに通知メッセージを送信することは、
前記第１のノードデバイスが、ネットワークノード間のインターフェイスを介して前記第２のノードデバイスに前記通知メッセージを送信することを含む、
請求項１に記載の方法。
【請求項４】
伝送制御の方法であって
前記方法は、メディアアクセス制御（ＭＡＣ）メッセージによってデータ複製伝送を制御する第２のノードデバイスに適用され、
前記第２のノードデバイスが、第１のノードデバイスによって送信された通知メッセージを受信することであって、前記通知メッセージは、データ複製伝送モードがオン状態であるかまたはデータ複製伝送モードがオフ状態であることを指示するために使用されることと、
前記第２のノードデバイスが、前記通知メッセージに指示されたデータ複製伝送モードのオン/オフ状態にしたがって、ＭＡＣメッセージを介してデータ複製伝送能力の活性化状態を制御するかどうかを決定することであって、前記活性化状態は、活性化および非活性化の２種類の状態を含むことと、を含む、前記伝送制御の方法。
【請求項５】
前記第２のノードデバイスが、前記通知メッセージに指示されたデータ複製伝送モードのオン/オフ状態にしたがって、ＭＡＣメッセージを介してデータ複製伝送能力の活性化状態を制御するかどうかを決定することは、
前記第２のノードデバイスが、前記通知メッセージにしたがって前記データ複製伝送モードがオン状態であることを決定する場合、前記第２のノードデバイスは、ＭＡＣメッセージを介してデータ複製伝送能力の活性化状態を制御することと、
前記第２のノードデバイスが、前記通知メッセージにしたがって前記データ複製伝送モードがオフ状態であることを決定する場合、前記第２のノードデバイスは、データ複製伝送能力の活性化状態を制御しないことと、を含む、
請求項４に記載の方法。
【請求項６】
伝送制御の方法であって、
前記方法は、ユーザ側を表すユーザデバイス（ＵＥ）に適用され、
第１のノードデバイスからデータ複製伝送モードのオン/オフ状態を取得することと、
データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することであって、前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスであることと、を含む、前記伝送制御の方法。
【請求項７】
前記第１のノードデバイスからデータ複製伝送モードのオン/オフ状態を取得することは、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するかどうか、および第１のノードデバイスがデータ複製伝送モードの状態をオンにするかまたはオフにするかを制御することを含む、
請求項６に記載の方法。
【請求項８】
前記データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することは、
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含むことと、
データ複製伝送モードがオフ状態である場合、第２のノードデバイスによって送信されたＭＡＣメッセージは無視されることと、を含む、
請求項７に記載の方法。
【請求項９】
制御部分および送信部分を含むノードデバイスであって、
前記制御部分は、データ複製伝送モードのオン/オフ状態を制御するように構成され、
前記送信部分は、第２のノードデバイスに通知メッセージを送信するように構成され、前記通知メッセージは、データ複製伝送モードがオン状態であるかまたはデータ複製伝送モードがオフ状態であるかを指示するために使用される、前記ノードデバイス。
【請求項１０】
前記制御部分は、
ＲＲＣメッセージオンを介してデータ複製伝送モードをオンにし、
または、ＲＲＣメッセージを介してデータ複製伝送モードをオフにし、
または、データ複製伝送モードは、最初はオフ状態であり、且つデータ複製伝送モードをオンにしないように構成される、
請求項９に記載のノードデバイス。
【請求項１１】
受信部分および決定部分を含むノードデバイスであって、
前記受信部分は、第１のノードデバイスによって送信された通知メッセージを受信するように構成され、前記通知メッセージは、データ複製伝送モードがオン状態であるかまたはデータ複製伝送モードがオフ状態であるかを指示するために使用され、
前記決定部分は、前記通知メッセージに指示されたデータ複製伝送モードのオン/オフ状態にしたがって、ＭＡＣメッセージを介してデータ複製伝送能力の活性化状態を制御するかどうかを決定するように構成され、前記活性化状態は、活性化および非活性化の２種類の状態を含む、前記ノードデバイス。
【請求項１２】
前記決定部分は、
前記通知メッセージにしたがって前記データ複製伝送モードがオン状態であることを決定する場合、ＭＡＣメッセージを介してデータ複製伝送能力の活性化状態を制御し、
前記通知メッセージにしたがって前記データ複製伝送モードがオフ状態であることを決定する場合、データ複製伝送能力の活性化状態を制御しないように構成される、
請求項１１に記載のノードデバイス。
【請求項１３】
取得部分、決定部分および処理部分を含むユーザデバイス（ＵＥ）であって、前記取得部分は、第１のノードデバイスからデータ複製伝送モードのオン/オフ状態を取得するように構成され、
前記決定部分は、データ複製伝送モードのオン/オフ状態にしたがって、第２のノードデバイスが送信したＭＡＣメッセージの処理戦略を決定するように構成され、
前記処理部分は、前記処理戦略に応じて前記第２のノードデバイスが送信したＭＡＣメッセージを処理するように構成され、前記第１のノードデバイスは、ＲＲＣメッセージを介してデータ複製伝送を制御し、前記第２のノードデバイスは、ＭＡＣメッセージを介してデータ複製伝送を制御するノードデバイスである、前記ユーザデバイス。
【請求項１４】
前記取得部分は、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するかどうか、および第１のノードデバイスがデータ複製伝送モードの状態をオンにするかまたはオフにするかを知るように構成される、
請求項１３に記載のユーザデバイス。
【請求項１５】
前記処理部分は、
データ複製伝送モードがオン状態である場合、第２のノードデバイスによって送信されたＭＡＣメッセージを受信し、またＭＡＣメッセージにしたがってデータ複製伝送能力を活性化または非活性化し、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される、
請求項１３に記載のユーザデバイス。
【請求項１６】
ノードデバイスであって、
実行可能な命令を記憶するように構成される記憶媒体と、
記憶された実行可能な命令を実行するプロセッサと、を含み、
前記実行可能な命令は、請求項１ないし３のいずれか一項に記載の伝送制御方法を実行するように構成される、前記ノードデバイス。
【請求項１７】
ノードデバイスであって、
実行可能な命令を記憶するように構成される記憶媒体と、
記憶された実行可能な命令を実行するプロセッサと、を含み、
前記実行可能な命令は、請求項４または５に記載の伝送制御方法を実行するように構成される、前記ノードデバイス。
【請求項１８】
ユーザデバイス（ＵＥ）であって、
実行可能な命令を記憶するように構成される記憶媒体と、
記憶された実行可能な命令を実行するプロセッサと、を含み、
前記実行可能な命令は、請求項６ないし８のいずれか一項に記載の伝送制御方法を実行するように構成される、前記ユーザデバイス。
【請求項１９】
機械命令が記憶されるコンピュータ記憶媒体であって、
前記機械命令が１つ以上のプロセッサによって実行されるとき、前記プロセッサが、請求項１ないし３のいずれか一項に記載の伝送制御方法のステップを実行する、前記コンピュータ記憶媒体。
【請求項２０】
機械命令が記憶されるコンピュータ記憶媒体であって、
前記機械命令が１つ以上のプロセッサによって実行されるとき、前記プロセッサが請求項４または５に記載の伝送制御方法のステップを実行する、前記コンピュータ記憶媒体。
【請求項２１】
機械命令が記憶されるコンピュータ記憶媒体であって、
前記機械命令が１つ以上のプロセッサによって実行されるとき、前記プロセッサが請求項６ないし８のいずれか一項に記載の伝送制御方法のステップを実行する、前記コンピュータ記憶媒体。
【請求項２２】
第１のノードデバイスおよび第２のノードデバイスを含む伝送制御システムであって、データ複製伝送に対する前記第１のノードデバイスの制御方式は、データ複製伝送に対する前記第２のノードデバイスの制御方式とは異なり、
前記第１のノードデバイスは、ネットワークインターフェイスを介して第２のノードデバイスに通知メッセージを送信するように構成され、前記通知メッセージは、データ複製伝送モードがオン状態であるかまたはデータ複製伝送モードがオフ状態であるかを指示するために使用され、
前記第２のノードデバイスは、前記通知メッセージにしたがってデータ複製伝送モードがオン状態であるかまたはオフ状態であるかを決定し、データ複製伝送モードがオン状態である場合、ＭＡＣメッセージを介してデータ複製伝送能力の活性化状態を制御し、データ複製伝送モードがオフ状態である場合、データ複製伝送能力の活性化状態を制御しないように構成され、前記活性化状態は、活性化または非活性化の２つの状態を含む、前記伝送制御システム。
【請求項２３】
第１のノードデバイス、第２のノードデバイスおよびユーザデバイス（ＵＥ）を含む伝送制御システムであって、
データ複製伝送に対する前記第１のノードデバイスの制御方式は、データ複製伝送に対する前記第２のノードデバイスの制御方式とは異なり、
前記第１のノードデバイスは、ＲＲＣメッセージを介してデータ複製伝送モードのオン/オフ状態を制御するように構成され、
前記ＵＥは、
データ複製伝送モードのオン/オフ状態を取得し、
データ複製伝送モードのオン/オフ状態にしたがって、第２のノードデバイスが送信したＭＡＣメッセージの処理戦略を決定し、また前記処理戦略に応じて前記第２のノードデバイスが送信したＭＡＣメッセージを処理するように構成される、前記伝送制御システム。
【請求項２４】
前記ＵＥは、
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される、
請求項２３に記載のシステム。
【発明の詳細な説明】
【技術分野】
【０００１】
本発明は、無線通信分野におけるデータ伝送技術に関し、特に伝送制御の方法、装置、デバイスおよび記憶媒体に関する。
【背景技術】
【０００２】
第３の世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ロングタームエボリューション（ＬＴＥ：Ｌｏｎｇ  Ｔｅｒｍ  Ｅｖｏｌｕｔｉｏｎ）バージョンリリース（Ｒｅｌｅａｓｅ）１２．０には、デュアル接続（ＤＣ：Ｄｕａｌ  Ｃｏｎｎｅｃｔｉｖｉｔｙ）技術が導入され、ユーザデバイス（ＵＥ：Ｕｓｅｒ  Ｅｑｕｉｐｍｅｎｔ）は複数のセルサイトに同時に接続することができる。例えば、ＵＥは、マクロ基地局（ＭｅＮＢ：Ｍａｉｎ  ｅＮＢ)と少なくとも１つのセカンダリ基地局（ＳｅＮＢ：ｓｅｃｏｎｄａｒｙ  ｅＮＢ）に同時に接続することができる。ＵＥが２つのセルに接続されている場合、ＵＥは実質的に同時に２つのセルからデータベアラを受信または送信することができる。それにより、ＵＥ関連データのシャントを実現することができる。
【０００３】
関連技術におけるデュアル接続ネットワークのアーキテクチャは、図１に示されたようであり、Ｘ２インターフェイスを介してＭｅＮＢとＳｅＮＢとの間が接続されるが、ＭｅＮＢとＳｅＮＢは、それぞれバックホールリンクおよびネットワークインフラストラクチャ（Ｎｅｔｗｏｒｋ  ｉｎｆｒａｓｔｒｕｃｔｕｒｅ）を介して接続される。しかし、データ伝送プロセスでは、一般的に従来技術で図２に示すようなスプリットベアラ（ｓｐｌｉｔ  ｂｅａｒｅｒ）プロトコルアーキテクチャを採用し、ＭｅＮＢをシャントのアンカとして、ダウンリンクデータを例示すると、ダウンリンクデータがパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層と無線リンク制御（ＲＬＣ、Ｒａｄｉｏ  Ｌｉｎｋ  Ｃｏｎｔｒｏｌ）層とで分割され、それぞれＭｅＮＢおよびＳｅＮＢに送信した後、それぞれが自体のスプリットベアラ（ｓｐｌｉｔ  ｂｅａｒｅｒ）を介してＵＥに渡す。ダウンリンクデータがＵＥに到着した後、ＵＥのＰＤＣＰ層は、２つのスプリットベアラによって運ばれたダウンリンクデータが同じであることを検出するため、ＵＥのＰＤＣＰ層は、その中の１つのベアラによって運ばれたダウンリンクデータを破棄し、保留されたダウンリンクデータをＵＥの上位層に伝送する。アップリンクデータの伝送も同様である。このようなデータ伝送方式をデータ複製伝送方式と呼ばれる。
【０００４】
当該伝送方式において、データ複製伝送機能のベアラを実施することができ、無線リソース制御（ＲＲＣ：Ｒａｄｉｏ  Ｒｅｓｏｕｒｃｅ  Ｃｏｎｔｒｏｌ）命令またはメディアアクセス制御（ＭＡＣ：Ｍｅｄｉｕｍ  Ａｃｃｅｓｓ  Ｃｏｎｔｒｏｌ）命令を介して、そのデータ複製伝送機能を活性化または非活性化することができる。デュアル接続アーキテクチャにおいては、ＭｅＮＢおよびＳｅＮＢは両方ともＲＲＣ命令またはＭＡＣ命令を送信してベアラを制御することができ、ＲＲＣ命令のベアラを制御する方式とＭＡＣ命令のベアラを制御する方式が異なることに基づいて、ＭｅＮＢとＳｅＮＢのうちの１つが、ＲＲＣ命令を介してベアラを制御し、別の１つがＭＡＣ命令を介してベアラを制御するため、制御の競合が発生する場合がある。
【発明の概要】
【発明が解決しようとする課題】
【０００５】
前記技術的問題を解決するために、本発明の実施例は、伝送制御の方法、装置、デバイスおよび記憶媒体を提供することにより、ベアラのデータ複製伝送の制御方式を調整して、制御の競合の発生が回避される。
【課題を解決するための手段】
【０００６】
本発明の技術的解決策は、以下のように実現することができる。
【０００７】
第１の態様において、本発明の実施例は、無線リソース制御（ＲＲＣ）メッセージによってデータ複製（ｄｕｐｌｉｃａｔｉｏｎ）伝送を制御する第１のノードデバイスに適用される伝送制御の方法を提供し、前記方法は、
前記第１のノードデバイスが、データ複製伝送モードのオン/オフ状態を制御することと、
前記第１のノードデバイスが、第２のノードデバイスに通知メッセージを送信することであって、前記通知メッセージは、データ複製伝送モードがオン状態であるかまたはデータ複製伝送モードがオフ状態であることを指示するために使用されることと、を含む。
【０００８】
前記技術案において、前記第１のノードデバイスはデータ複製伝送モードのオン/オフ状態を制御することは、
前記第１のノードデバイスが、ＲＲＣメッセージオンを介してデータ複製伝送モードをオンにすることと、
または、前記第１のノードデバイスが、ＲＲＣメッセージを介してデータ複製伝送モードをオフにすることと、を含む。
【０００９】
前記技術案において、前記第１のノードデバイスは、第２のノードデバイスに通知メッセージを送信することは、
前記第１のノードデバイスが、ネットワークノード間のインターフェイスを介して前記第２のノードデバイスに前記通知メッセージを送信することを含む。
【００１０】
第２の態様において、本発明の実施例は、メディアアクセス制御（ＭＡＣ）メッセージによってデータ複製伝送を制御する第２のノードデバイスに適用される伝送制御の方法を提供し、前記方法は、
前記第２のノードデバイスが、第１のノードデバイスによって送信された通知メッセージを受信することであって、前記通知メッセージは、データ複製伝送モードがオン状態であるかまたはデータ複製伝送モードがオフ状態であることを指示するために使用されることと、
前記第２のノードデバイスが、前記通知メッセージに指示されたデータ複製伝送モードのオン/オフ状態にしたがって、ＭＡＣメッセージを介してデータ複製伝送能力の活性化状態を制御するかどうかを決定することであって、前記活性化状態は、活性化および非活性化の２種類の状態を含むこととを含む。
【００１１】
前記技術案において、前記第２のノードデバイスは、前記通知メッセージに指示されたデータ複製伝送モードのオン/オフ状態にしたがって、ＭＡＣメッセージを介してデータ複製伝送能力の活性化状態を制御することは、
前記第２のノードデバイスが、前記通知メッセージにしたがって前記データ複製伝送モードがオン状態であることを決定する場合、前記第２のノードデバイスは、ＭＡＣメッセージを介してデータ複製伝送能力の活性化状態を制御することと、
前記第２のノードデバイスが、前記通知メッセージにしたがって前記データ複製伝送モードがオフ状態であることを決定する場合、前記第２のノードデバイスは、データ複製伝送能力の活性化状態を制御しないことと、を含む。
【００１２】
第３の態様において、本発明の実施例は、ユーザ側を表すユーザデバイス（ＵＥ）に適用される伝送制御の方法を提供し、前記方法は、
第１のノードデバイスからデータ複製伝送モードのオン/オフ状態を取得することと、
データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することであって、前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスであることと、を含む。
【００１３】
前記技術案において、前記第１のノードデバイスからデータ複製伝送モードのオン/オフ状態を取得することは、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するか、および第１のノードデバイスがデータ複製伝送モードの状態をオンにするかまたはオフにするかを制御することを含む。
【００１４】
前記技術案において、前記データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することは、
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含むことと、
データ複製伝送モードがオフ状態である場合、第２のノードデバイスによって送信されたＭＡＣメッセージは無視されることと、を含む。
【００１５】
第４の態様において、本発明の実施例は、制御部分および送信部分を含むノードデバイスを提供し、前記制御部分は、データ複製伝送モードのオン/オフ状態を制御するように構成され、
前記送信部分は、第２のノードデバイスに通知メッセージを送信するように構成され、前記通知メッセージ
は、データ複製伝送モードがオン状態であるかまたはデータ複製伝送モードがオフ状態であるかを指示するために使用される。
【００１６】
前記技術案において、前記制御部分は、
ＲＲＣメッセージオンを介してデータ複製伝送モードをオンにし、
または、ＲＲＣメッセージを介してデータ複製伝送モードをオフにし、
または、データ複製伝送モードは、最初はオフ状態であり、且つデータ複製伝送モードをオンにしないように構成される。
【００１７】
第５の態様において、本発明の実施例は、受信部分および決定部分を含むノードデバイスを提供し、
前記受信部分は、第１のノードデバイスによって送信された通知メッセージを受信するように構成され、前記通知メッセージは、データ複製伝送モードがオン状態であるかまたはデータ複製伝送モードがオフ状態であるかを指示するために使用され、
前記決定部分は、前記通知メッセージに指示されたデータ複製伝送モードのオン/オフ状態にしたがって、ＭＡＣメッセージを介してデータ複製伝送能力の活性化状態を制御するかどうかを決定するように構成され、前記活性化状態は、活性化および非活性化の２種類の状態を含む。
【００１８】
前記技術案において、前記決定部分は、
前記通知メッセージにしたがって前記データ複製伝送モードがオン状態であることを決定する場合、ＭＡＣメッセージを介してデータ複製伝送能力の活性化状態を制御し、
前記通知メッセージにしたがって前記データ複製伝送モードがオフ状態であることを決定する場合、データ複製伝送能力の活性化状態を制御しないように構成される。
【００１９】
第６の態様において、本発明の実施例は、取得部分、決定部分および処理部分を含むユーザデバイス（ＵＥ）を提供し、前記取得部分は、第１のノードデバイスからデータ複製伝送モードのオン/オフ状態を取得するように構成され、
前記決定部分は、データ複製伝送モードのオン/オフ状態にしたがって、第２のノードデバイスが送信したＭＡＣメッセージの処理戦略を決定するように構成され、
前記処理部分は、前記処理戦略に応じて前記第２のノードデバイスが送信したＭＡＣメッセージを処理するように構成され、前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスである。
【００２０】
前記技術案において、前記取得部分は、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するかどうか、および第１のノードデバイスがデータ複製伝送モードの状態をオンにするかまたはオフにするかを知るように構成される。
【００２１】
前記技術案において、前記処理部分は、
データ複製伝送モードがオン状態である場合、第２のノードデバイスによって送信されたＭＡＣメッセージを受信し、またＭＡＣメッセージにしたがってデータ複製伝送能力を活性化または非活性化し、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される。
【００２２】
第７の態様において、本発明の実施例は、実行可能な命令を記憶するように構成される記憶媒体と、記憶された実行可能な命令を実行するプロセッサとを含み、前記実行可能な命令は、第１の態様中のいずれか一項に記載の伝送制御方法を実行するように構成されるノードデバイスを提供する。
【００２３】
第８の態様において、本発明の実施例は、実行可能な命令を記憶するように構成される記憶媒体と、記憶された実行可能な命令を実行するプロセッサとを含み、前記実行可能な命令は、第２の態様に記載の伝送制御方法を実行するように構成されるノードデバイスを提供する。
【００２４】
第９の態様において、本発明の実施例は、実行可能な命令を記憶するように構成される記憶媒体と、記憶された実行可能な命令を実行するプロセッサとを含み、前記実行可能な命令は、第３の態様中のいずれか一項に記載の伝送制御方法を実行するように構成されるユーザデバイス（ＵＥ）を提供する。
【００２５】
第１０の態様において、本発明の実施例は、機械命令が記憶されるコンピュータ記憶媒体であって、前記機械命令が１つ以上のプロセッサによって実行されるとき、前記プロセッサが第１の態様中のいずれか一項に記載の伝送制御方法のステップを実行するコンピュータ記憶媒体を提供する。
【００２６】
第１１の態様において、本発明の実施例は、機械命令が記憶されるコンピュータ記憶媒体であって、前記機械命令が１つ以上のプロセッサによって実行されるとき、前記プロセッサが第２の態様に記載の伝送制御方法のステップを実行するコンピュータ記憶媒体を提供する。
【００２７】
第１２の態様において、本発明の実施例は、機械命令が記憶されるコンピュータ記憶媒体であって、前記機械命令が１つ以上のプロセッサによって実行されるとき、前記プロセッサが第３の態様中のいずれか一項に記載の伝送制御方法のステップを実行するコンピュータ記憶媒体を提供する。
【００２８】
第１３の態様において、本発明の実施例は、伝送制御システムを提供し、前記伝送制御システムは、前記システム第１のノードデバイスおよび第２のノードデバイスを含み、データ複製伝送に対する前記第１のノードデバイスの制御方式は、データ複製伝送に対する前記第２のノードデバイスの制御方式とは異なり、
前記第１のノードデバイスは、ネットワークインターフェイスを介して第２のノードデバイスに通知メッセージを送信することであって、前記通知メッセージ用于指示データ複製伝送モードがオン状態であるかまたはデータ複製伝送モードがオフ状態であるかを指示するために使用されるように構成され、
前記第２のノードデバイスは、
前記通知メッセージにしたがってデータ複製伝送モードがオン状態であるかまたはオフ状態であるかを決定し、
データ複製伝送モードがオン状態である場合、ＭＡＣメッセージを介してデータ複製伝送能力の活性化状態を制御し、前記活性化状態可以包括活性化または非活性化の２つの状態を含み、
データ複製伝送モードがオフ状態である場合、データ複製伝送能力の活性化状態を制御しないように構成される。
【００２９】
第１４の態様において、本発明の実施例は、伝送制御システムを提供し、前記伝送制御システムは、第１のノードデバイス、第２のノードデバイスおよびユーザデバイス（ＵＥ）を含み、データ複製伝送に対する前記第１のノードデバイスの制御方式は、データ複製伝送に対する前記第２のノードデバイスの制御方式とは異なり、
前記第１のノードデバイスは、ＲＲＣメッセージを介してデータ複製伝送モードのオン/オフ状態を制御するように構成され、
前記ＵＥは、
データ複製伝送モードのオン/オフ状態を取得し、
データ複製伝送モードのオン/オフ状態にしたがって、第２のノードデバイスが送信したＭＡＣメッセージの処理戦略を決定し、また前記処理戦略に応じて前記第２のノードデバイスが送信したＭＡＣメッセージを処理するように構成される。
【００３０】
前記技術案において、前記ＵＥは、
データ複製伝送モードがオン状態である場合、第２のノードデバイスによって送信されたＭＡＣメッセージを受信し、またＭＡＣメッセージにしたがってデータ複製伝送能力を活性化または非活性化させ、ここで、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される。
【発明の効果】
【００３１】
本発明の実施例は、伝送制御の方法、装置、デバイスおよび記憶媒体を提供する。第１のノードデバイスは、データ複製伝送モードをオンにするかまたはオフにするように制御した後、データ複製伝送モードのオン/オフ状態を第２のノードデバイスに通知し、それにより、第２のノードデバイスがデータ複製伝送モードがオンであるかまたはデータ複製伝送モードがオフであることにより、ＭＡＣメッセージを介してデータ複製伝送能力の活性化状態を制御するかどうかを決定することができるようにする。したがって、２つのノードデバイスがそれぞれＲＲＣメッセージおよびＭＡＣメッセージを介してデータ複製伝送を制御する場合、２つのノードデバイスがベアラのデータ複製伝送を制御する方法が調整され、それにより制御競合の発生が回避される。
【図面の簡単な説明】
【００３２】
【図１】デュアル接続ネットワークアーキテクチャの模式図である。
【図２】スプリットベアラプロトコルアーキテクチャの模式図である。
【図３】本発明の実施例によって提供されるデータ複製伝送のプロトコルアーキテクチャである。
【図４】本発明の実施例によって提供される別のデータ複製伝送のプロトコルアーキテクチャである。
【図５】本発明の実施例によって提供される伝送制御の方法のプロセス模式図である。
【図６】本発明の実施例によって提供される別の伝送制御の方法のプロセス模式図である。
【図７】本発明の実施例によって提供されるもう１つの伝送制御の方法のプロセス模式図である。
【図８】本発明の実施例によって提供されるもう１つの伝送制御の方法のプロセス模式図である。
【図９】本発明の実施例によって提供される別の伝送制御の方法のプロセス模式図である。
【図１０】本発明の実施例によって提供されるノードデバイスの構造模式図である。
【図１１】本発明の実施例によって提供されるノードデバイスのハードウェア構造の実装を示す模式図である。
【図１２】本発明の実施例によって提供される別のノードデバイスの構造模式図である。
【図１３】本発明の実施例によって提供される別のノードデバイスのハードウェア構造の実装を示す模式図である。
【図１４】本発明の実施例によって提供されるユーザデバイスの構造模式図である。
【図１５】本発明の実施例によって提供されるユーザデバイスのハードウェア構造の実装を示す模式図である。
【図１６】本発明の実施例によって提供される伝送制御システムの構造模式図である。
【図１７】本発明の実施例によって提供される別の伝送制御システムの構造模式図である。
【発明を実施するための形態】
【００３３】
以下、本発明の実施例における図面を参照して、本発明の実施例における技術的解決策をさらに明確且つ完全に説明する。
【００３４】
図１に示すデュアル接続ネットワークアーキテクチャと図２に示すプロトコルアーキテクチャを参照すると、マクロ基地局ＭｅＮＢによって提供されたステーションが提供したサービングセルグループ（Ｓｅｒｖｉｎｇ  ｃｅｌｌ  ｇｒｏｕｐ）は、マスターセルグループ（ＭＣＧ：Ｍａｓｔｅｒ  Ｃｅｌｌ  Ｇｒｏｕｐ）と呼ばれ、セカンダリ基地局ＳｅＮＢによって提供されるサービングセルグループは、セカンダリセルグループ（ＳＣＧ：Ｓｅｃｏｎｄａｒｙ  Ｃｅｌｌ  Ｇｒｏｕｐ）と呼ばれる。ＰＤＣＰ層が位置するセルグループ（ＣＧ：Ｃｅｌｌ  Ｇｒｏｕｐ）は、アンカセルグループ（ａｎｃｈｏｒ  ＣＧ）と呼ばれるため、一般的に、アンカＣＧはＭＣＧであり、ある特別な場合には、アンカＣＧがＳＣＧであることもあり、本実施例は、これに対して限定しない。後続の実施例の説明では、ＭＣＧがマスターノード（ｍａｓｔｅｒ  ｎｏｄｅ）によって提供され、マスターノードは、マクロ基地局（ＭｅＮＢ）を含むことができるが、これに限定されなく、ＳＣＧは、スレーブノード（ｓｌａｖｅ  ｎｏｄｅ）によって提供され、スレーブノードは、セカンダリ基地局（ＳｅＮＢ）を含むことができるが、これに限定されない。
【００３５】
図１に示すデュアル接続ネットワークアーキテクチャを利用してダウンリンクデータが伝送される場合、図３を参照すると、アンカＣＧ（ＣＧ１）のＰＤＣＰ層はＰＤＣＰプロトコルデータユニット（ＰＤＵ、Ｐｒｏｔｏｃｏｌ  Ｄａｔａ  Ｕｎｉｔ）を同じ２つのコピーに複製し、その中の１つは元のＰＤＣＰ ＰＤＵであり、もう１つは複製された（Ｄｕｐｌｉｃａｔｅｄ）ＰＤＣＰ ＰＤＵである。元のＰＤＣＰ ＰＤＵは、ＣＧ１のＲＬＣ層およびＭＡＣ層を順次に通過してから、エアインターフェイス（Ａｉｒ  ｉｎｔｅｒｆａｃｅ）を経由してＵＥのＭＡＣ層およびＲＬＣ層に到達し、最終的にＵＥのＰＤＣＰ層に収束するが、複製された（Ｄｕｐｌｉｃａｔｅｄ）ＰＤＣＰ ＰＤＵは、非アンカＣＧ（ＣＧ２）のＲＬＣ層およびＭＡＣ層を順次に通過してから、エアインターフェイスを経由してＵＥのＭＡＣ層及ＲＬＣ層に到着し、最終的にＵＥのＰＤＣＰ層に収束し、２つのＰＤＣＰ ＰＤＵが同じであることをＵＥのＰＤＣＰ層がモニタリングした場合、その中の１つを破棄して、残りのＰＤＣＰ ＰＤＵをＵＥの上位層にアップロードする。
【００３６】
図１に示すデュアル接続ネットワークアーキテクチャを利用してアップリンクデータが伝送される場合、図４を参照すると、ＵＥのＰＤＣＰ層はＰＤＣＰ ＰＤＵを同じ２つのコピーに複製し、その中の１つは元のＰＤＣＰ ＰＤＵであり、もう１つは複製された（Ｄｕｐｌｉｃａｔｅｄ）のＰＤＣＰ ＰＤＵである。元のＰＤＣＰ ＰＤＵは、ＵＥのＲＬＣ層およびＭＡＣ層を順次に通過してから、エアインターフェイスを経由してＣＧ１のＭＡＣ層及ＲＬＣ層に到達し、最終的にＣＧ１のＰＤＣＰ層に収束するが、複製された（Ｄｕｐｌｉｃａｔｅｄ）ＰＤＣＰ ＰＤＵは、ＵＥのＲＬＣ層およびＭＡＣ層を順次に通過してから、エアインターフェイスを経由してＣＧ２のＭＡＣ層及ＲＬＣ層に到着し、最終的にＸ２インターフェイスを通じてＣＧ１のＰＤＣＰ層に収束し、２つのＰＤＣＰ ＰＤＵが同じであることをＣＧ１のＰＤＣＰ層がモニタリングされた場合、その中の１つを破棄して、残りのＰＤＣＰ ＰＤＵをネットワーク側の上位層にアップロードする。
【００３７】
図３および図４の伝送プロトコルアーキテクチャに基づいて、ＰＤＣＰ層がＭＣＧに位置する場合、ＭＣＧスプリットベアラ（ＭＣＧ  Ｓｐｌｉｔ  Ｂｅａｒｅｒ）と呼ばれ、ＰＤＣＰ層がＳＣＧに位置すれば、ＳＣＧスプリットベアラ（ＳＣＧ  Ｓｐｌｉｔ  Ｂｅａｒｅｒ）と呼ばれる。関連技術では、ＭＣＧおよびＳＣＧの両方はＭＡＣ制御要素（ＣＥ、Ｃｏｎｔｒｏｌ  Ｅｌｅｍｅｎｔ）を介して特定のベアラのデータ複製伝送を活性化または非活性化させる能力を持ち、そしてＲＲＣメッセージによって特定のベアラのデータ複製伝送を制御することもできる。制御ベアラがデータ複製伝送モードであるかどうかを制御し、他のモードの関連パラメータ（スプリットベアラの閾値（ｓｐｌｉｔ ｂｅａｒｅｒ ｔｈｒｅｓｈｏｌｄなど）、スイッチングパスｓｗｉｔｃｈｉｎｇ ｐａｔｈ等）を制御するなど、ＲＲＣメッセージによって低速の制御を実行することができることに留意されたい。しかしながら、ＭＡＣ  ＣＥによって高速の制御することができ、例えば、ベアラがデータ複製伝送モードである場合、データ複製伝送能力を活性化するかどうかを制御するなど。この状況下で、ＲＲＣメッセージおよびＭＡＣメッセージが、異なる基地局またはＣＧからのものであり、ＲＲＣメッセージおよびＭＡＣメッセージの両方がベアラのデータ複製伝送モードを制御することができる場合、制御の競合を回避するために調整する必要がある。
【００３８】
上記した問題を考慮して、本発明は以下の実施例によって説明する。
【００３９】
実施例１
図５を参照すると、本発明の実施例によって提供される伝送制御の方法を示し、当該方法は、マスターノードデバイス（ｍａｓｔｅｒ ｎｏｄｅ）およびスレーブノードデバイス（ｓｌａｖｅ ｎｏｄｅ）を有するネットワークシステムに適用されることができ、前記方法は、次のことを含むことができる。
【００４０】
Ｓ５０１において、データ複製伝送に対するマスターノードデバイスおよびスレーブノードデバイスの制御方式をそれぞれ設定する。
【００４１】
なお、本発明の後続の実施において、上記したデータ複製伝送に対する制御とは、ベアラのデータ複製伝送に対する制御を指す。後続の実施例には繰り返されないことに留意されたい。データ複製伝送に対するマスターノードデバイスの制御方式は、データ複製伝送に対するスレーブノードデバイスの制御方式とは異なり、例えば、データ複製伝送に対するマスターノードデバイスの制御方式が、ＲＲＣメッセージを介して制御することができれば、データ複製伝送に対するスレーブノードデバイスの制御方式は、ＭＡＣメッセージを介して制御し、なお、データ複製伝送に対するマスターノードデバイスの制御方式が、ＭＡＣメッセージを介して制御することができれば、データ複製伝送に対するスレーブノードデバイスの制御方式は、ＲＲＣメッセージを介して制御する制御方式である。本実施例の技術内容を明確に説明するために、図５に示す技術的解決策は、好ましくて、データ複製伝送に対するマスターノードデバイスの制御方式がＲＲＣメッセージを介して制御することができ、データ複製伝送に対するスレーブノードデバイスの制御方式は、ＭＡＣメッセージを介して制御することができる。
【００４２】
Ｓ５０２において、マスターノードデバイスは、ネットワークインターフェイスを介してスレーブノードデバイスに通知メッセージを送信する。
【００４３】
ここで、当該通知メッセージは、データ複製伝送モードがオン状態であるかまたはデータ複製伝送モードがオフ状態であることを指示するために使用される。
【００４４】
なお、ＲＲＣメッセージを介して、ベアラがデータ複製伝送モードであるかどうかを制御することができるため、即ち、マスターノードデバイスは、ＲＲＣメッセージを介してベアラに対してデータ複製伝送モードをオンにするかまたはオフにするかを実行することができることに留意されたい。具体的に、Ｓ５０２の前に、マスターノードデバイスが、ＲＲＣメッセージオンを介してデータ複製伝送モードをオンにすると、当該通知メッセージは、データ複製伝送モードがオン状態であることを指示し、データ複製伝送モードが最初にオフ状態であり、そしてＳ５０２の前にマスターノードデバイスがデータ複製伝送モードをオンにしなかった場合、または、Ｓ５０２の前にマスターノードデバイスがＲＲＣメッセージを介してデータ複製伝送モードをオフにすると、当該通知メッセージは、データ複製伝送モードがオフ状態であることを指示する。
【００４５】
Ｓ５０４において、スレーブノードデバイスは、前記通知メッセージにしたがってデータ複製伝送モードがオン状態であるかまたはオフ状態であるかを決定し、データ複製伝送モードがオン状態である場合、Ｓ５０５に進み、データ複製伝送モードがオフ状態である場合、Ｓ５０６に進む。
【００４６】
Ｓ５０５において、スレーブノードデバイスは、ＭＡＣメッセージを介してデータ複製伝送能力の活性化状態を制御する。
【００４７】
なお、活性化状態は、活性化または非活性化の２つの状態を含むことができることに留意されたい。Ｓ５０５において、具体的に、データ複製伝送モードがオン状態である場合、スレーブノードデバイスは、ＭＡＣ ＣＥを使用してデータ複製伝送能力の活性化状態を制御し、ＭＡＣ ＣＥを使用してデータ複製伝送能力の非活性化状態を制御することもできる。
【００４８】
Ｓ５０６において、スレーブノードデバイスは、データ複製伝送能力の活性化状態を制御しない。
【００４９】
図５に示す技術的解決策において、マスターノードデバイスがＲＲＣメッセージを介してデータ複製伝送を制御するように設定し、そしてスレーブノードデバイスがＭＡＣメッセージを介してデータ複製伝送を制御するように設定したため、マスターノードデバイスおよびスレーブノードデバイスがデータ複製伝送をそれぞれ制御するプロセスでは、まず、データ複製伝送モードのオンおよびオフに対する制御は、ＲＲＣメッセージによって実現され、データ複製伝送モードのオンおよびオフを決定した後、データ複製伝送能力の活性化状態に対する制御をＭＡＣメッセージによって実現し、２つのノードデバイスがそれぞれＲＲＣメッセージおよびＭＡＣメッセージを介してデータ複製伝送を制御する場合、図５に示す技術案に説明された手順で制御することができるようにして、２つのノードデバイスがベアラのデータ複製伝送を制御する方式を調整して、それにより制御競合の発生が回避される。
【００５０】
図５に示す技術的解決策について、さらに留意されたいこととして、データ複製伝送に対するマスターノードデバイスの制御方式が、ＭＡＣメッセージによる制御であり、またデータ複製伝送に対するスレーブノードデバイスの制御方式は、ＲＲＣメッセージによる制御であると設定した場合、図５に記載の技術的解決策にしたがって、別の好ましい例を得ることができる。即ち、
スレーブノードデバイスがＲＲＣメッセージを介してデータ複製伝送モードをオンにすると、スレーブノードデバイスはマスターノードデバイスに通知メッセージを送信し、当該通知メッセージは、データ複製伝送モードがオンであることを指示するために使用され、マスターノードデバイスは、当該通知メッセージを受信した後、データ複製伝送モードがオン状態であることを決定し、このとき、マスターノードデバイスは、ＭＡＣメッセージを介してデータ複製伝送能力の活性化状態を制御することができる。
【００５１】
データ複製伝送モードが最初にオフ状態であり、そしてスレーブノードデバイスがデータ複製伝送モードをオンにしない場合、または、スレーブノードデバイスがＲＲＣメッセージを介してデータ複製伝送モードをオフにすると、スレーブノードデバイスがマスターノードデバイスに送信した通知メッセージは、データ複製伝送モードがオフであることを指示しなければならなく、マスターノードデバイスが当該通知メッセージを受信した後、データ複製伝送モードがオフ状態であることを決定し、このとき、マスターノードデバイスは、ＭＡＣメッセージを使用してデータ複製伝送能力の活性化状態を制御しない。
【００５２】
上記した技術案からわかるように、通知メッセージを介してマスターノードデバイスとスレーブノードデバイスとの間にＲＲＣメッセージを使用してデータ複製伝送モードをオンにするかまたはオフにするかを決定し、続いてまた、データ複製伝送モードのオンまたはオフ状態にしたがって、ＭＡＣメッセージを使用してデータ複製伝送能力の活性化状態を制御したかどうかを決定することで、２つのノードデバイス間のネゴシエーションによって、データ複製伝送に対する秩序のある制御を実現し、２つのノードデバイスがベアラのデータ複製伝送を制御する方式を調整し、それにより制御競合の発生が回避される。
【００５３】
実施例２
上記した実施例１と同じ発明構想に基づいて、図６を参照すると、本発明の実施例によって提供される伝送制御の方法を示し、当該方法は、ＲＲＣメッセージを介してデータ複製伝送を制御する第１のノードデバイスに適用されることができ、当該方法は、次のことを含むことができる。
【００５４】
Ｓ６０１において、第１のノードデバイスは、データ複製伝送モードのオン/オフ状態を制御する。
【００５５】
理解できることとして、マスターノードデバイスおよびスレーブノードデバイスの両方がＲＲＣメッセージおよびＭＡＣメッセージを介してデータ複製伝送を制御する能力を持つため、ＲＲＣメッセージを介してデータ複製伝送を制御する第１のノードデバイスが、マスターノードデバイスである場合、ＭＡＣメッセージを介してデータ複製伝送を制御する第２のノードデバイスは、スレーブノードデバイスであり、一方、ＲＲＣメッセージを介してデータ複製伝送を制御する第１のノードデバイスが、スレーブノードデバイスである場合、ＭＡＣメッセージを介してデータ複製伝送を制御する第２のノードデバイスは、マスターノードデバイスである。本発明の実施例における後続の技術的解決策を説明するとき、第１のノードデバイスと第２のノードデバイスが、マスターノードデバイスであるかそれともスレーブノードデバイスであるかを特に具体的に限定しない。
【００５６】
データ複製伝送モードのオン/オフ状態は、ＲＲＣメッセージを介して制御されるため、Ｓ６０１にとっては、第１のノードデバイスは、データ複製伝送モードのオン/オフ状態を制御することは、具体的に、
第１のノードデバイスが、ＲＲＣメッセージオンを介してデータ複製伝送モードをオンにすることと、
または、第１のノードデバイスが、ＲＲＣメッセージを介してデータ複製伝送モードをオフにすることと、を含むことができることに留意されたい。
【００５７】
Ｓ６０２において、第１のノードデバイスは第２のノードデバイスに通知メッセージを送信し、前記通知メッセージは、データ複製伝送モードがオン状態であるかまたはデータ複製伝送モードがオフ状態であるかを指示するために使用される。
【００５８】
理解できることとして、第２のノードデバイスが通知メッセージを受信した後、通知メッセージに指示されたデータ複製伝送モードのオン/オフ状態にしたがって、ＭＡＣメッセージを介してデータ複製伝送能力の活性化状態を制御するかどうかを決定することができる。
【００５９】
Ｓ６０２において、第１のノードデバイスは第２のノードデバイスに通知メッセージを送信することは、具体的に、
第１のノードデバイスが、ネットワークノード間のインターフェイスを介して第２のノードデバイスに通知メッセージを送信することを含むことができる。
【００６０】
具体的に、ネットワークノード間のインターフェイスは、Ｘ２インターフェイスを含む。
【００６１】
本実施例によって、第１のノードデバイスは、データ複製伝送モードをオンまたはオフにするように制御した後、データ複製伝送モードのオン/オフ状態を第２のノードデバイスに通知することにより、第２のノードデバイスが、データ複製伝送モードがオンであるまたはデータ複製伝送モードオフであることにしたがって、ＭＡＣメッセージを介してデータ複製伝送能力の活性化状態を制御するかどうかを決定することができる。それにより、２つのノードデバイスが、それぞれＲＲＣメッセージおよびＭＡＣメッセージを介してデータ複製伝送を制御する場合、２つのノードデバイスがベアラのデータ複製伝送を制御する方式を調整して、それにより制御競合の発生が回避される。
【００６２】
実施例３
上記した実施例１と同じ発明構想に基づいて、図７を参照すると、本発明の実施例によって提供される伝送制御の方法を示し、当該方法は、ＭＡＣメッセージを介してデータ複製伝送を制御する第２のノードデバイスに適用されることができ、当該方法は、次のことを含むことができる。
【００６３】
Ｓ７０１において、第２のノードデバイスは、第１のノードデバイスによって送信された通知メッセージを受信する。
【００６４】
ここで、前記通知メッセージは、データ複製伝送モードがオン状態であるかまたはデータ複製伝送モードがオフ状態であることを指示するために使用される。
【００６５】
具体的に、第２のノードデバイスは、ネットワークノード間のインターフェイスを介して第１のノードデバイスによって送信された通知メッセージを受信することができ、当該ネットワークノード間のインターフェイスは、好ましくて、Ｘ２インターフェイスであり、本実施例はこれに対して特に限定しない。
【００６６】
Ｓ７０２において、第２のノードデバイスは、前記通知メッセージに指示されたデータ複製伝送モードのオン/オフ状態にしたがって、ＭＡＣメッセージを介してデータ複製伝送能力の活性化状態を制御するかどうかを決定することができる。
【００６７】
1つの可能な実施形態において、Ｓ７０２は、
第２のノードデバイスが、前記通知メッセージにしたがって、前記データ複製伝送モードがオン状態であることを決定する場合、第２のノードデバイスは、ＭＡＣメッセージを介してデータ複製伝送能力の活性化状態を制御することを決定することと、
第２のノードデバイスは、前記通知メッセージにしたがって、前記データ複製伝送モードがオフ状態である場合、第２のノードデバイスは、データ複製伝送能力の活性化状態を制御しないことを決定することと、を含むことができる。
【００６８】
具体的に、活性化状態は、活性化と非活性化の２種類の状態を含む。
【００６９】
本実施例によって、第２のノードデバイスは、第１のノードデバイスによってデータ複製伝送モードのオン/オフ状態を制御した後、データ複製伝送モードのオン/オフ状態にしたがって、ＭＡＣメッセージを介してデータ複製伝送能力の活性化状態を制御するかどうかを決定する。それにより、２つのノードデバイスが、それぞれＲＲＣメッセージおよびＭＡＣメッセージを介してデータ複製伝送を制御する場合、２つのノードデバイスがベアラのデータ複製伝送を制御する方式を調整して、それにより制御競合の発生が回避される。
【００７０】
実施例４
図５ないし図７に示す技術的解決策は、ノードデバイス間にネゴシエーションおよび相互に通知する方式を介してベアラのデータ複製伝送を制御する方式を調整することに対して記述し、前記実施例と同じ発明構想に基づいて、ノードデバイス間にベアラのデータ複製伝送に対する制御を調整する精神に基づいて、図８を参照すると、本実施例によって提供される別の伝送制御の方法を示し、当該方法は、マスターノードデバイス（ｍａｓｔｅｒ ｎｏｄｅ）、スレーブノードデバイス（ｓｌａｖｅ ｎｏｄｅ）およびユーザ側ＵＥのネットワークシステムに適用されることができ、前記方法は、次のことを含むことができる。
【００７１】
Ｓ８０１において、データ複製伝送に対するマスターノードデバイスおよびスレーブノードデバイスの制御方式をそれぞれ設定する。
【００７２】
データ複製伝送に対するマスターノードデバイスの制御方式は、データ複製伝送に対するスレーブノードデバイスの制御方式とは異なることに留意されたい。例えば、データ複製伝送に対するマスターノードデバイスの制御方式は、ＲＲＣメッセージに介して制御することであり、データ複製伝送に対するスレーブノードデバイスの制御方式は、ＭＡＣメッセージを介して制御することであり、なお、データ複製伝送に対するマスターノードデバイスの制御方式は、ＭＡＣメッセージを介して制御することであり、データ複製伝送に対するスレーブノードデバイスの制御方式は、ＲＲＣメッセージを介して制御することであることができる。なお、マスターノードデバイスとスレーブノードデバイスとの間は相互に独立し、お互いに作用し、または通知しない。本実施例の技術内容をさらに明確に説明するために、図８に示す技術的解決策は、好ましくて、データ複製伝送に対するマスターノードデバイスの制御方式は、ＲＲＣメッセージを介して制御することであり、データ複製伝送に対するスレーブノードデバイスの制御方式は、ＭＡＣメッセージを介して制御することであり得る。
【００７３】
Ｓ８０２において、マスターノードデバイスは、ＲＲＣメッセージを介してデータ複製伝送モードのオン/オフ状態を制御する。
【００７４】
データ複製伝送モードのオン/オフ状態は、データ複製伝送モードがオン状態であるかまたはオフ状態であるかを指示することができる。しかしながら、マスターノードデバイスは、ＲＲＣメッセージを介してデータ複製伝送モードがオンまたはオフ状態であることを制御することができることに留意されたい。
【００７５】
Ｓ８０３において、ＵＥは、データ複製伝送モードのオン/オフ状態を取得する。
【００７６】
理解できることとして、ＵＥは、ユーザ側として、マスターノードデバイスによって送信されたＲＲＣメッセージを取得またはモニタリングし、また当該ＲＲＣメッセージを解析することにより、マスターノードデバイスがデータ複製伝送モードのオン/オフ状態を制御するかどうかを知ることができ、さらに、マスターノードデバイスがデータ複製伝送モードをオンにする制御をするかそれともオフにする制御をするかを知ることができる。
【００７７】
Ｓ８０４において、スレーブノードデバイスは、ＵＥにＭＡＣメッセージを送信する。
【００７８】
なお、当該ＭＡＣメッセージは、データ複製伝送能力の活性化状態を制御することを指示するために使用され、当該活性化状態は、活性化または非活性化の２つの状態を含むことができる。
【００７９】
Ｓ８０５において、ＵＥは、データ複製伝送モードのオン/オフ状態にしたがって、スレーブノードデバイスが送信したＭＡＣメッセージの処理戦略を決定し、前記処理戦略に応じて前記スレーブノードデバイスによって送信されたＭＡＣメッセージを処理する。
【００８０】
具体的に、データ複製伝送モードがオン状態である場合、ＵＥは、スレーブノードデバイスによって送信されたＭＡＣメッセージを受信し、またＭＡＣメッセージにしたがってデータ複製伝送能力を活性化または非活性化する。
【００８１】
データ複製伝送モードがオフ状態である場合、ＵＥは、スレーブノードが送信したＭＡＣメッセージを無視することにより、ＵＥは、データ複製伝送モードがオフ状態である場合、ＭＡＣメッセージにしたがってデータ複製伝送能力を活性化または非活性化することを回避して、制御競合の発生がさらに回避される。
【００８２】
理解できることとして、Ｓ８０４とＳ８０５との間には厳密な順序がなく、これは、ＵＥは、スレーブノードデバイスによって送信されたＭＡＣメッセージの処理戦略については、データ複製伝送モードの状態に関連するが、スレーブノードデバイスがＭＡＣメッセージを送信するかどうかに関連しないためである。好ましくて、本実施例はＳ８０５の前にＳ８０４を実行する。
【００８３】
図８に示す技術的解決策において、マスターノードデバイスがＲＲＣメッセージを介してデータ複製伝送を制御するように設定し、そしてスレーブノードデバイスがＭＡＣメッセージを介してデータ複製伝送を制御するように設定したが、ユーザ側ＵＥは、まず、ＲＲＣメッセージを介してデータ複製伝送モードのオンおよびオフを決定した後、次に、データ複製伝送モードがオンである場合、ＵＥがＭＡＣメッセージを受信して、ＭＡＣメッセージを介してデータ複製伝送能力の活性化状態を制御することを実現し、しかしながら、データ複製伝送モードがオフである場合、ＵＥは、ＭＡＣメッセージを無視して、それにより制御競合の発生が回避される。これからわかるように、本実施例において、マスターノードデバイスおよびスレーブノードデバイス以外のユーザ側を介して、ベアラのデータ複製伝送の制御方式に対して調整するため、２つのノードデバイス間には通信する必要がない。
【００８４】
図８に示す技術的解決策について、さらに留意されたいこととして、データ複製伝送に対するマスターノードデバイスの制御方式が、ＭＡＣメッセージを介して制御し、そしてデータ複製伝送に対するスレーブノードデバイスの制御方式は、ＲＲＣメッセージを介して制御することと設定する場合、図８に記載の技術的解決策にしたがって、別の好ましい例を得ることができ、即ち、
スレーブノードデバイスが、ＲＲＣメッセージを介してデータ複製伝送モードをオンにすると、ＵＥは、スレーブノードデバイスからデータ複製伝送モードがオン状態であることを知って、このとき、ＵＥは、マスターノードデバイスが送信したＭＡＣメッセージを受信し、またＭＡＣメッセージにしたがってデータ複製伝送能力を活性化または非活性化することができる。
【００８５】
スレーブノードデバイスが、ＲＲＣメッセージを介してデータ複製伝送モードをオフにすると、ＵＥは、スレーブノードデバイスからデータ複製伝送モードがオフ状態であることを知って、このとき、ＵＥは、マスターノードデバイスが送信したＭＡＣメッセージを無視することにより、ＭＡＣメッセージとＲＲＣメッセージがデータ複製伝送に対してそれぞれ実施した制御間の競合を回避した。
【００８６】
上記した技術案からわかることができるのは、マスターノードデバイスとスレーブノードデバイス以外のユーザ側を介して、データ複製伝送に対する制御を調整するため、マスターノードデバイスとスレーブノードデバイス間の情報の相互作用を回避し、データ複製伝送の秩序のある制御を実現するだけでなく、２つのノードデバイスがベアラのデータ複製伝送を制御する方式も調整され、それにより制御競合の発生が回避される。さらに、２つのノードデバイス間の通信の相互作用が減少し、ネットワーク側の通信圧力が減少した。
【００８７】
実施例５
実施例４と同じ発明構想に基づいて、図９を参照すると、本発明の実施例によって提供される伝送制御の方法を示し、当該方法は、ユーザ側を表すユーザデバイス（ＵＥ）に適用されることができ、当該方法は、次のことを含むことができる。
【００８８】
Ｓ９０１において、第１のノードデバイスからデータ複製伝送モードのオン/オフ状態を取得する。
【００８９】
マスターノードデバイスおよびスレーブノードデバイスの両方が、ＲＲＣメッセージおよびＭＡＣメッセージを介してデータ複製伝送を制御する能力を持つため、上記した実施例と同じこととして、本実施例において、ＲＲＣメッセージを介してデータ複製伝送を制御するノードデバイスは、第１のノードデバイスであり、ＭＡＣメッセージを介してデータ複製伝送を制御するノードデバイスは、第２のノードデバイスであることを留意されたい。本発明の実施例の後続の技術的解決策を説明する場合、第１のノードデバイスと第２のノードデバイスがマスターノードデバイスであるかそれともスレーブノードデバイスであるかを特に具体的に限定しない。
【００９０】
Ｓ９０１については、具体的に、ＵＥがユーザ側として、ＵＥが第１のノードデバイスが送信したＲＲＣメッセージを取得またはモニタリングし、そして当該ＲＲＣメッセージを分析して第１のノードデバイスがデータ複製伝送モードのオン/オフ状態を制御するか、および第１のノードデバイスがデータ複製伝送モードの状態をオンにするかまたはオフにするかを知ることができる。
【００９１】
Ｓ９０２において、データ複製伝送モードのオン/オフ状態にしたがって、第２のノードデバイスが送信したＭＡＣメッセージの処理戦略を決定し、処理戦略に応じて前記第２のノードデバイスが送信したＭＡＣメッセージを処理する。
【００９２】
1つの可能な実施形態において、Ｓ９０２は、
データ複製伝送モードがオン状態である場合、ＵＥはスレーブノードデバイスが送信したＭＡＣメッセージを受信し、またＭＡＣメッセージにしたがってデータ複製伝送能力を活性化または非活性化することを含むことができる。当該ＭＡＣメッセージは、データ複製伝送能力の活性化状態を制御することを指示するために使用され、当該活性化状態は、活性化または非活性化の２つの状態を含むことができることに留意されたい。
【００９３】
データ複製伝送モードがオフ状態である場合、ＵＥは、スレーブノードデバイスが送信したＭＡＣメッセージを無視し、留意されたいこととして、当該ＭＡＣメッセージは、データ複製伝送能力の活性化状態を制御することを指示するために使用される。それにより、ＵＥがデータ複製伝送モードがオフ状態である場合、ＭＡＣメッセージにしたがってデータ複製伝送能力を活性化または非活性化することを回避して、さらに、それにより制御競合の発生が回避される。
【００９４】
本実施例は、ＵＥを介してデータ複製伝送に対する制御を調整することにより、第１のノードデバイスと第２のノードデバイスとの間の相互作用と通知を回避して、データ複製伝送に対する秩序のある制御を実現しただけでなく、２つのノードデバイスのベアラのデータ複製伝送に対する制御の方式を調整して、それにより、制御競合の発生が回避される。さらに、２つのノードデバイス間の通信の相互作用が低減され、ネットワーク側の通信圧力が低減される。
【００９５】
実施例６
実施例２と同じ技術構想に基づいて、図１０を参照すると、本発明の実施例によって提供されるノードデバイス１００を示し、当該ノードデバイス１００は、ＲＲＣメッセージを介してデータ複製伝送を制御することができ、当該ノードデバイス１００は、制御部分１００１、送信部分１００２を含むことができ、前記制御部分１００１は、データ複製伝送モードのオン/オフ状態を制御するように構成され、
前記送信部分１００２は、第２のノードデバイスに通知メッセージを送信するように構成され、前記通知メッセージは、データ複製伝送モードがオン状態であるかまたはデータ複製伝送モードがオフ状態であることを指示するために使用される。
【００９６】
1つの可能な実施形態において、前記制御部分１００１は、
ＲＲＣメッセージオンを介してデータ複製伝送モードをオンにし、
または、ＲＲＣメッセージを介してデータ複製伝送モードをオフにするように構成される。
【００９７】
理解できることとして、本実施例および他の実施例において、「部分」は、部分回路、部分プロセッサ、部分プログラムまたはソフトウェア等であってもよく、もちろん、ユニットであってもよく、モジュールまたは非モジュール化であってもよい。
【００９８】
さらに、本実施例における各構成部分は、１つの処理ユニットに統合されてもよく、各ユニットが物理的に別個に存在してもよく、２つ以上のユニットが１つのユニットに統合されてもよい。前記統合されたユニットは、ハードウェアの形で実装されてもよく、ソフトウェア機能モジュールの形で実装されてもよい。
【００９９】
前記統合されたユニットが、ソフトウェア機能モジュールの形で実装され、独立した製品として販売または使用されていない場合、１つのコンピュータ読み取り可能な記憶媒体に記憶することができる。このような理解に基づいて、本実施例の技術的解決策は、本質でまたは先行技術に対して貢献のある部分または当該技術の解決策の全部または一部は、ソフトウェア製品の形で具現されることができ、当該コンピュータソフトウェア製品は、１つの記憶媒体に記憶されて、一台のコンピュータデバイス（パーソナルコンピュータ、サーバ、またはネットワークデバイスなどであリ得る）またはプロセッサ（ｐｒｏｃｅｓｓｏｒ）が本実施例に記載の方法のステップの全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々なメディアを含む。
【０１００】
だから、本実施例は、機械命令が記憶されるコンピュータ記憶媒体を提供し、前記機械命令が１つ以上のプロセッサによって実行されるとき、前記プロセッサは、
データ複製伝送モードのオン/オフ状態を制御することと、
第２のノードデバイスに通知メッセージを送信することであって、前記通知メッセージは、データ複製伝送モードがオン状態であるかまたはデータ複製伝送モードがオフ状態であるかを指示するために使用されることを実行する。
【０１０１】
選択的に、別の実施例として、前記機械命令がプロセッサによって実行されるとき、さらに、
ＲＲＣメッセージオンを介してデータ複製伝送モードをオンにすること、
または、ＲＲＣメッセージを介してデータ複製伝送モードをオフにすることを実行する。
【０１０２】
選択的に、別の実施例として、前記機械命令がプロセッサによって実行されるとき、さらに、
ネットワークノード間のインターフェイスを介して前記第２のノードデバイスに前記通知メッセージを送信することを実行する。
【０１０３】
さらに、実際の用途では、図１１を参照すると、前記制御部分１００１は、ノードデバイスに位置するプロセッサ１１０によって具現されてもよく、具体的に、中央処理装置（ＣＰＵ）、マイクロプロセッサ（ＭＰＵ）、デジタル信号プロセッサ（ＤＳＰ）またはフィールドプログラマブルゲートアレイ（ＦＰＧＡ）などで具現されてもよく、前記送信部分１００２は、送信機１１２によって具現されることができ、ノードデバイスは、さらに受信機１１１および記憶媒体１１３を含むことができる。受信機１１１、送信機１１２および記憶媒体１１３はすべてシステムバス１１４を介してプロセッサ１１０に接続され、記憶媒体１１３は、実行可能なプログラム命令を記憶するように構成され、記憶媒体１１３は、高速ＲＡＭメモリを含むことができ、少なくとも１つのディスクメモリなどの非揮発性メモリを含むこともできる。プロセッサ１１０は、記憶された実行可能な命令を実行するように構成され、前記実行可能な命令は、実施例２に記載の伝送制御方法のステップを実行するように構成される。
【０１０４】
実施例７
実施例３と同じ発明構想に基づいて、図１２を参照すると、本発明の実施例によって提供されるノードデバイス１２０を示し、当該ノードデバイス１２０は、ＭＡＣメッセージを介してデータ複製伝送を制御することができ、ノードデバイス１２０は、受信部分１２０１および決定部分１２０２を含むことができ、ここで、
前記受信部分１２０１は、第１のノードデバイスによって送信された通知メッセージを受信することであって、前記通知メッセージは、データ複製伝送モードがオン状態であるかまたはデータ複製伝送モードがオフ状態であるかを指示するために使用されるように構成され、
前記決定部分１２０２は、前記通知メッセージに指示されたデータ複製伝送モードのオン/オフ状態にしたがって、ＭＡＣメッセージを介してデータ複製伝送能力の活性化状態を制御するかどうかを決定することであって、前記活性化状態は、活性化および非活性化の２種類の状態を含むように構成される。
【０１０５】
1つの可能な実施形態において、前記決定部分１２０２は、
前記通知メッセージにしたがって前記データ複製伝送モードがオン状態であることを決定する場合、ＭＡＣメッセージを介してデータ複製伝送能力の活性化状態を制御し、
前記通知メッセージにしたがって前記データ複製伝送モードがオフ状態であることを決定する場合、データ複製伝送能力の活性化状態を制御しないように構成される。
【０１０６】
理解できることとして、本実施例および他の実施例において、「部分」は、部分回路、部分プロセッサ、部分プログラムまたはソフトウェア等であってもよく、もちろん、ユニットであってもよく、モジュールまたは非モジュール化であってもよい。
【０１０７】
さらに、本実施例における各構成部分は、１つの処理ユニットに統合されてもよく、各ユニットが物理的に別個に存在してもよく、２つ以上のユニットが１つのユニットに統合されてもよい。前記統合されたユニットは、ハードウェアの形で実装されてもよく、ソフトウェア機能モジュールの形で実装されてもよい。
【０１０８】
前記統合されたユニットが、ソフトウェア機能モジュールの形で実装され、独立した製品として販売または使用されていない場合、１つのコンピュータ読み取り可能な記憶媒体に記憶することができる。このような理解に基づいて、本実施例の技術的解決策は、本質でまたは先行技術に対して貢献のある部分または当該技術の解決策の全部または一部は、ソフトウェア製品の形で具現されることができ、当該コンピュータソフトウェア製品は、１つの記憶媒体に記憶されて、一台のコンピュータデバイス（パーソナルコンピュータ、サーバ、またはネットワークデバイスなどであリ得る）またはプロセッサ（ｐｒｏｃｅｓｓｏｒ）が本実施例に記載の方法のステップの全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々なメディアを含む。
【０１０９】
だから、本実施例は、機械命令が記憶されるコンピュータ記憶媒体を提供し、前記機械命令が１つ以上のプロセッサによって実行されるとき、前記プロセッサは、次のステップを実行する
第１のノードデバイスが送信した通知メッセージを受信することであって、前記通知メッセージは、データ複製伝送モードがオン状態であるかまたはデータ複製伝送モードがオフ状態であるであることを指示するために使用され、
前記通知メッセージに指示されたデータ複製伝送モードのオン/オフ状態にしたがって、ＭＡＣメッセージを介してデータ複製伝送能力の活性化状態を制御するかどうかを決定することであって、前記活性化状態は、活性化および非活性化の２種類の状態を含む。
【０１１０】
選択的に、別の実施例として、前記機械命令がプロセッサによって実行されるときに、さらに次のことを実行する。
【０１１１】
前記第２のノードデバイスが、前記通知メッセージにしたがって前記データ複製伝送モードがオン状態であることを決定する場合、前記第２のノードデバイスは、ＭＡＣメッセージを介してデータ複製伝送能力の活性化状態を制御し、
当前記第２のノードデバイスが、前記通知メッセージにしたがって前記データ複製伝送モードがオフ状態であることを決定する場合、前記第２のノードデバイスは、データ複製伝送能力の活性化状態を制御しない。
【０１１２】
さらに、実際の用途では、図１３を参照すると、前記決定部分１２０２は、ノードデバイスに位置するプロセッサ１３０によって具現されてもよく、具体的に、中央処理装置（ＣＰＵ）、マイクロプロセッサ（ＭＰＵ）、デジタル信号プロセッサ（ＤＳＰ）またはフィールドプログラマブルゲートアレイ（ＦＰＧＡ）などで具現されてもよく、前記受信部分１２０１は、送信機１３２によって具現されることができ、ノードデバイスは、さらに受信機１３１および記憶媒体１３３を含むことができる。受信機１３１、送信機１３２および記憶媒体１３３はすべてシステムバス１３４を介してプロセッサ１３０に接続され、記憶媒体１３３は、実行可能なプログラム命令を記憶するように構成され、記憶媒体１３３は、高速ＲＡＭメモリを含むことができ、少なくとも１つのディスクメモリなどの非揮発性メモリをさらに含むこともできる。プロセッサ１３０は、記憶された実行可能な命令を実行するように構成され、前記実行可能な命令は、実施例３に記載の伝送制御方法のステップを実行するように構成される。
【０１１３】
実施例８
上記した実施例５と同じ発明構想に基づいて、図１４を参照すると、本発明の実施例によって提供されるユーザデバイス（ＵＥ）１４０を示し、取得部分１４０１、決定部分１４０２および処理部分１４０３を含むことができ、前記取得部分１４０１は、第１のノードデバイスからデータ複製伝送モードのオン/オフ状態を取得するように構成される、
前記決定部分１４０２は、データ複製伝送モードのオン/オフ状態にしたがって、第２のノードデバイスが送信したＭＡＣメッセージの処理戦略を決定するように構成され、
前記処理部分１４０３は、前記処理戦略に応じて前記第２のノードデバイスが送信したＭＡＣメッセージを処理することであって、前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスであるように構成される。
【０１１４】
1つの可能な実施形態において、前記取得部分１４０１は、
第１のノードデバイスが送信したＲＲＣメッセージを取得またはモニタリングし、当該ＲＲＣメッセージを分析して第１のノードデバイスがデータ複製伝送モードのオン/オフ状態を制御するかどうか、および第１のノードデバイスがデータ複製伝送モードの状態をオンにするかまたはオフにするかを知るように構成される。
【０１１５】
1つの可能な実施形態において、前記処理部分１４０３は、
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される。
【０１１６】
理解できることとして、本実施例および他の実施例において、「部分」は、部分回路、部分プロセッサ、部分プログラムまたはソフトウェア等であってもよく、もちろん、ユニットであってもよく、モジュールまたは非モジュール化であってもよい。
【０１１７】
さらに、本実施例における各構成部分は、１つの処理ユニットに統合されてもよく、各ユニットが物理的に別個に存在してもよく、２つ以上のユニットが１つのユニットに統合されてもよい。前記統合されたユニットは、ハードウェアの形で実装されてもよく、ソフトウェア機能モジュールの形で実装されてもよい。
【０１１８】
前記統合されたユニットが、ソフトウェア機能モジュールの形で実装され、独立した製品として販売または使用されていない場合、１つのコンピュータ読み取り可能な記憶媒体に記憶することができる、このような理解に基づいて、本実施例の技術的解決策は、本質でまたは先行技術に対して貢献のある部分または当該技術の解決策の全部または一部は、ソフトウェア製品の形で具現されることができ、当該コンピュータソフトウェア製品は、１つの記憶媒体に記憶されて、一台のコンピュータデバイス（パーソナルコンピュータ、サーバ、またはネットワークデバイスなどであリ得る）またはプロセッサ（ｐｒｏｃｅｓｓｏｒ）が本実施例に記載の方法のステップの全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々なメディアを含む。
【０１１９】
だから、本実施例は、機械命令が記憶されるコンピュータ記憶媒体を提供し、前記機械命令が１つ以上のプロセッサによって実行されるとき、前記プロセッサは、
第１のノードデバイスからデータ複製伝送モードのオン/オフ状態を取得することと、
データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することであって、前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスであることを実行する。
【０１２０】
選択的に、別の実施例として、前記機械命令がプロセッサによって実行されるとき、さらに次のステップを実行する。
【０１２１】
第１のノードデバイスが送信したＲＲＣメッセージを取得またはモニタリングし、当該ＲＲＣメッセージを分析して第１のノードデバイスがデータ複製伝送モードのオン/オフ状態を制御するかどうか、および第１のノードデバイスがデータ複製伝送モードの状態をオンにするかまたはオフにするかを知る。
【０１２２】
選択的に、別の実施例として、前記機械命令がプロセッサによって実行されるとき、さらに次のステップを実行する。
【０１２３】
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用される、前記活性化状態は、活性化または非活性化の２つの状態を含むことと、
データ複製伝送モードがオフ状態である場合、第２のノードデバイスによって送信されたＭＡＣメッセージは無視されることを実行する。
【０１２４】
さらに、実際の用途では、図１５を参照すると、前記決定部分１４０２および処理部分１４０３は、ノードデバイスに位置するプロセッサ１５０によって具現されてもよく、具体的に、中央処理装置（ＣＰＵ）、マイクロプロセッサ（ＭＰＵ）、デジタル信号プロセッサ（ＤＳＰ）またはフィールドプログラマブルゲートアレイ（ＦＰＧＡ）などで具現されてもよく、前記取得部分１４０１は、送信機１５２によって具現されることができ、ノードデバイスはさらに受信機１５１および記憶媒体１５３を含むことができる。受信機１５１、送信機１５２および記憶媒体１５３はすべてシステムバス１５４を介してププロセッサ１５０に接続され、記憶媒体１５３は、実行可能なプログラム命令を記憶するように構成され、記憶媒体１５３は、高速ＲＡＭメモリを含むことができ、少なくとも１つのディスクメモリなどの非揮発性メモリをさらに含むこともできる。プロセッサ１５０は、記憶された実行可能な命令を実行するように構成され、前記実行可能な命令は、実施例５に記載の伝送制御方法のステップを実行するように構成される。
【０１２５】
実施例９
上述した実施例と同じ発明構想に基づいて、図１６を参照すると、本発明の実施例によって提供される伝送制御システム１６０を示し、前記システムは、第１のノードデバイス１６０１および第２のノードデバイス１６０２を含み、データ複製伝送に対する前記第１のノードデバイス１６０１の制御方式は、データ複製伝送に対する前記第２のノードデバイスの制御方式とは異なり、
前記第１のノードデバイス１６０１は、ネットワークインターフェイスを介して第２のノードデバイスに通知メッセージを送信することであって、前記通知メッセージは、データ複製伝送モードがオン状態であるかまたはデータ複製伝送モードがオフ状態であるかを指示するために使用されるように構成され、
前記第２のノードデバイス１６０２は、前記通知メッセージを介してデータ複製伝送モードがオン状態であるかまたはオフ状態を決定し、および、
データ複製伝送モードがオン状態である場合、ＭＡＣメッセージを介してデータ複製伝送能力の活性化状態を制御し、前記活性化状態は、活性化または非活性化の２つの状態を含むことができ、および、
データ複製伝送モードがオフ状態である場合、データ複製伝送能力の活性化状態を制御しないように構成される。
【０１２６】
理解できることとして、本実施例に関するシステム１６０における第１のノードデバイス１６０１がマスターノードデバイスであり、第２のノードデバイス１６０２がスレーブノードデバイスである場合、本実施例に説明されたシステム１６０は、実施例１に記載の伝送制御方法の具体的なプロセスを実現することができる。本実施例には繰り返されない。
【０１２７】
実施例１０
上記した実施例と同じ発明構想に基づいて、図１７を参照すると、本発明の実施例によって提供される伝送制御システム１７０を示し、前記システムは、第１のノードデバイス１７０１、第２のノードデバイス１７０２及びユーザデバイス（ＵＥ）１７０３を含み、データ複製伝送に対する前記第１のノードデバイス１７０１の制御方式は、データ複製伝送に対する前記第２のノードデバイス１７０２の制御方式とは異なり、
前記第１のノードデバイス１７０１は、ＲＲＣメッセージを介してデータ複製伝送モードのオン/オフ状態を制御するように構成され、
前記ＵＥ１７０３は、データ複製伝送モードのオン/オフ状態を取得するように構成され、
および、データ複製伝送モードのオン/オフ状態にしたがって、第２のノードデバイス１７０２によって送信されたＭＡＣメッセージの処理戦略を決定し、前記処理戦略に応じて前記第２のノードデバイス１７０２によって送信されたＭＡＣメッセージを処理するように構成される。
【０１２８】
1つの可能な実施形態において、前記ＵＥ１７０３は、
データ複製伝送モードがオン状態である場合、第２のノードデバイス１７０２が送信したＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイス１７０２が送信したＭＡＣメッセージを無視するように構成される。
【０１２９】
理解できることとして、本実施例に関するシステム１６０における第１のノードデバイス１７０１は、マスターノードデバイスであり、第２のノードデバイス１７０２は、スレーブノードデバイスである場合、本実施例に説明されたシステム１７０は、実施例４に記載の伝送制御方法の具体的なプロセスを実現することができる。本実施例には繰り返されない。
【０１３０】
当業者は、本発明の実施例を方法、システム、またはコンピュータプログラム製品として提供できることを理解するであろう。したがって、本発明は、ハードウェアの実施例、ソフトウェアの実施例、またはソフトウェアとハードウェアの組み合わせの実施例の形を採用することができる。さらに、本発明は、コンピュータ使用可能なプログラムコードを含む１つ以上のコンピュータ使用可能な記憶媒体（ディスクメモリおよび光学メモリなどを含むが、これらに限定されない）で実施されるコンピュータプログラム製品の形を採用することができる。
【０１３１】
本発明は、本発明の実施例に係る方法、デバイス（システム）、およびコンピュータプログラム製品のフローチャートおよび/またはブロック図を参照して説明される。コンピュータプログラム命令によって、フローチャートおよび/またはブロック図の各プロセスおよび/またはブロック、およびフローチャートおよび/またはブロック図のプロセスおよび/またはブロックの組み合わせを実現することができることを理解するであろう。１つのマシンを生成するために、これらのコンピュータプログラム命令を汎用コンピュータ、専用コンピュータ、組み込みプロセッサまたは他のプログラム可能なデータ処理装置のプロセッサに提供することにより、コンピュータまたは他のプログラム可能なデータ処理装置のプロセッサによって実行される命令を、フローチャートの１つのプロセスまたは複数のプロセスおよび/またはブロック図の１つのブロックまたは複数のブロックに指定される機能を実行するための装置を生成させる。
【０１３２】
これらのコンピュータプログラム命令は、コンピュータまたは他のプログラム可能なデータ処理装置に特定の方法で動作することができるコンピュータ読み取り可能メモリに記憶することもでき、当該コンピュータ読み取り可能メモリに記憶された命令に命令装置を含む製品を生成させるようにし、当該命令装置は、フローチャートの１つのプロセスまたは複数のプロセスおよび/またはブロック図の１つのブロックまたは複数のブロックで指定された機能を具現する。
【０１３３】
これらのコンピュータプログラム命令は、さらにコンピュータまたは他のプログラム可能なデータ処理装置にロードすることもできて、コンピュータまたは他のプログラム可能な装置に一連の操作ステップを実行させて、コンピュータの実装の処理を生成するようにし、それにより、コンピュータまたは他のプログラム可能な装置で実行される命令は、フローチャートの１つのプロセスまたは複数のプロセスおよび/またはブロック図の１つのブロックまたは複数のブロックで指定された機能を具現するためのステップを提供する。
【０１３４】
上記は、本発明の好ましい実施例に過ぎず、本発明の保護範囲を限定することを意図するものではない。
【産業上の利用可能性】
【０１３５】
本実施例において、ノードデバイス間の相互作用と通知によって、またはユーザ側ＵＥによってデータ複製伝送に対する制御を調整する。データ複製伝送に対する秩序のある制御を実現し、２つのノードデバイスがベアラのデータ複製伝送を制御する方式を調整し、それにより制御競合の発生が回避される。
【図１】
2020533824.tif 000003
【図２】
2020533824.tif 000004
【図３】
2020533824.tif 000005
【図４】
2020533824.tif 000006
【図５】
2020533824.tif 000007
【図６】
2020533824.tif 000008
【図７】
2020533824.tif 000009
【図８】
2020533824.tif 000010
【図９】
2020533824.tif 000011
【図１０】
2020533824.tif 000012
【図１１】
2020533824.tif 000013
【図１２】
2020533824.tif 000014
【図１３】
2020533824.tif 000015
【図１４】
2020533824.tif 000016
【図１５】
2020533824.tif 000017
【図１６】
2020533824.tif 000018
【図１７】
2020533824.tif 000019
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
伝送制御の方法であって、
前記方法は、無線リソース制御（ＲＲＣ）メッセージによってデータ複製伝送を制御する第１のノードデバイスに適用され、
前記第１のノードデバイスが、データ複製伝送モードのオン/オフ状態を制御することと、
前記第１のノードデバイスが、第２のノードデバイスに通知メッセージを送信することであって、前記通知メッセージは、データ複製伝送モードがオン状態であるかまたはデータ複製伝送モードがオフ状態であることを指示するために使用されることと、を含む、前記伝送制御の方法。
【請求項２】
前記第１のノードデバイスが、データ複製伝送モードのオン/オフ状態を制御することは、
前記第１のノードデバイスが、ＲＲＣメッセージを介してデータ複製伝送モードをオンにすること、
または、前記第１のノードデバイスが、ＲＲＣメッセージを介してデータ複製伝送モードをオフにすることを含む、
請求項１に記載の方法。
【請求項３】
前記第１のノードデバイスが、第２のノードデバイスに通知メッセージを送信することは、
前記第１のノードデバイスが、ネットワークノード間のインターフェイスを介して前記第２のノードデバイスに前記通知メッセージを送信することを含む、
請求項１に記載の方法。
【請求項４】
伝送制御の方法であって
前記方法は、メディアアクセス制御（ＭＡＣ）メッセージによってデータ複製伝送を制御する第２のノードデバイスに適用され、
前記第２のノードデバイスが、第１のノードデバイスによって送信された通知メッセージを受信することであって、前記通知メッセージは、データ複製伝送モードがオン状態であるかまたはデータ複製伝送モードがオフ状態であることを指示するために使用されることと、
前記第２のノードデバイスが、前記通知メッセージに指示されたデータ複製伝送モードのオン/オフ状態にしたがって、ＭＡＣメッセージを介してデータ複製伝送能力の活性化状態を制御するかどうかを決定することであって、前記活性化状態は、活性化又は非活性化の２種類の状態を含むことと、を含む、前記伝送制御の方法。
【請求項５】
前記第２のノードデバイスが、前記通知メッセージに指示されたデータ複製伝送モードのオン/オフ状態にしたがって、ＭＡＣメッセージを介してデータ複製伝送能力の活性化状態を制御するかどうかを決定することは、
前記第２のノードデバイスが、前記通知メッセージにしたがって前記データ複製伝送モードがオン状態であることを決定する場合、前記第２のノードデバイスは、ＭＡＣメッセージを介してデータ複製伝送能力の活性化状態を制御することと、
前記第２のノードデバイスが、前記通知メッセージにしたがって前記データ複製伝送モードがオフ状態であることを決定する場合、前記第２のノードデバイスは、データ複製伝送能力の活性化状態を制御しないことと、を含む、
請求項４に記載の方法。
【請求項６】
伝送制御の方法であって、
前記方法は、ユーザ側を表すユーザデバイス（ＵＥ）に適用され、
第１のノードデバイスからデータ複製伝送モードのオン/オフ状態を取得することと、
データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することと、を含む、前記伝送制御の方法。
【請求項７】
前記第１のノードデバイスは、ＲＲＣメッセージを介してデータ複製伝送を制御するノードデバイスであり、前記第２のノードデバイスは、ＭＡＣメッセージを介してデータ複製伝送を制御するノードデバイスであり、
前記第１のノードデバイスからデータ複製伝送モードのオン/オフ状態を取得することは、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するかどうか、および第１のノードデバイスがデータ複製伝送モードの状態をオンにするかまたはオフにするかを知ることを含む、
請求項６に記載の方法。
【請求項８】
前記データ複製伝送モードのオン/オフ状態にしたがって、第２のノードデバイスが送信したＭＡＣメッセージの処理戦略を決定し、前記処理戦略を応じて前記第２のノードデバイスが送信したＭＡＣメッセージを処理することは、
データ複製伝送モードがオン状態である場合、第２のノードデバイスによって送信されたＭＡＣメッセージを受信し、またＭＡＣメッセージにしたがってデータ複製伝送能力を活性化または非活性化することであって、前記ＭＡＣメッセージは、データ複製伝送能力を制御する活性化状態を指示するために使用され、前記活性化状態は、活性化または非活性化の２つの状態を含むことと、
データ複製伝送モードがオフ状態である場合、第２のノードデバイスによって送信されたＭＡＣメッセージは無視されることと、を含む、
請求項７に記載の方法。
【請求項９】
制御部分および送信部分を含むノードデバイスであって、
前記制御部分は、データ複製伝送モードのオン/オフ状態を制御するように構成され、
前記送信部分は、第２のノードデバイスに通知メッセージを送信するように構成され、前記通知メッセージは、データ複製伝送モードがオン状態であるかまたはデータ複製伝送モードがオフ状態であるかを指示するために使用される、前記ノードデバイス。
【請求項１０】
前記制御部分は、
ＲＲＣメッセージオンを介してデータ複製伝送モードをオンにし、
または、ＲＲＣメッセージを介してデータ複製伝送モードをオフにし、
または、データ複製伝送モードは、最初はオフ状態であり、且つデータ複製伝送モードをオンにしないように構成される、
請求項９に記載のノードデバイス。
【請求項１１】
受信部分および決定部分を含むノードデバイスであって、
前記受信部分は、第１のノードデバイスによって送信された通知メッセージを受信するように構成され、前記通知メッセージは、データ複製伝送モードがオン状態であるかまたはデータ複製伝送モードがオフ状態であるかを指示するために使用され、
前記決定部分は、前記通知メッセージに指示されたデータ複製伝送モードのオン/オフ状態にしたがって、ＭＡＣメッセージを介してデータ複製伝送能力の活性化状態を制御するかどうかを決定するように構成され、前記活性化状態は、活性化および非活性化の２種類の状態を含む、前記ノードデバイス。
【請求項１２】
前記決定部分は、
前記通知メッセージにしたがって前記データ複製伝送モードがオン状態であることを決定する場合、ＭＡＣメッセージを介してデータ複製伝送能力の活性化状態を制御し、
前記通知メッセージにしたがって前記データ複製伝送モードがオフ状態であることを決定する場合、データ複製伝送能力の活性化状態を制御しないように構成される、
請求項１１に記載のノードデバイス。
【請求項１３】
取得部分、決定部分および処理部分を含むユーザデバイス（ＵＥ）であって、前記取得部分は、第１のノードデバイスからデータ複製伝送モードのオン/オフ状態を取得するように構成され、
前記決定部分は、データ複製伝送モードのオン/オフ状態にしたがって、第２のノードデバイスが送信したＭＡＣメッセージの処理戦略を決定するように構成され、
前記処理部分は、前記処理戦略に応じて前記第２のノードデバイスが送信したＭＡＣメッセージを処理するように構成され、前記第１のノードデバイスは、ＲＲＣメッセージを介してデータ複製伝送を制御し、前記第２のノードデバイスは、ＭＡＣメッセージを介してデータ複製伝送を制御する、前記ユーザデバイス。
【請求項１４】
前記取得部分は、
第１のノードデバイスが送信したＲＲＣメッセージを取得またはモニタリングし、また当該ＲＲＣメッセージを解析することにより、第１のノードデバイスがデータ複製伝送モードのオン/オフ状態を制御するかどうか、および第１のノードデバイスがデータ複製伝送モードの状態をオンにするかまたはオフにするかを知るように構成される、
請求項１３に記載のユーザデバイス。
【請求項１５】
前記処理部分は、
データ複製伝送モードがオン状態である場合、第２のノードデバイスによって送信されたＭＡＣメッセージを受信し、またＭＡＣメッセージにしたがってデータ複製伝送能力を活性化または非活性化し、前記ＭＡＣメッセージは、データ複製伝送能力を制御する活性化状態を指示するために使用され、前記活性化状態は、活性化または非活性化の２つの状態を含み、
データ複製伝送モードがオフ状態である場合、第２のノードデバイスによって送信されたＭＡＣメッセージは無視されるように構成される、
請求項１３に記載のユーザデバイス。
【国際調査報告】
2020533824.tif 000020
2020533824.tif 000021
2020533824.tif 000022
2020533824.tif 000023